(57)【要約】【課題】  機械室なし形式のエレベーターであって、保守作業時に容易に保守工具類を取り出し、また収納できる収納庫を備えたエレベーター装置を得る。【解決手段】  乗場３付近の昇降路１壁を貫通して収納庫７を設け、収納庫７に昇降路側の戸８及び乗場側の戸９の両者を設け保守作業を容易化する。  また、上記両者の少なくとも一方を閉じず施錠装置１０，１１の一方の解錠時には、管理回路によって制御盤を消勢する。このため、上記両者の少なくとも一方が開いた状態ではエレベーターの通常運転を阻止して不詳事の発生を未然に防止する。また、上記両者の少なくとも一方の戸開によって、収納庫３の照明灯が自動点灯するので保守作業時に便利であり、また上記両者の施錠によって照明灯が自動消灯するので消灯忘れを防ぐ。【選択図】        図１
2005112581.tif 000002
【特許請求の範囲】
【請求項１】
エレベーターの昇降路内に設けられた巻上機及び上記昇降路に配置されて上記巻上機の動作によって昇降するかごと、上記昇降路に設けられた乗場の出入口縁部に形成されて上記昇降路内側及び乗場側にそれぞれ出し入れ口が形成された収納庫と、上記出し入れ口のそれぞれに設けられた戸及びこれらの戸のそれぞれに設けられた施錠装置と、上記戸のそれぞれに設けられて対応した上記戸の施錠装置の施錠によって動作する戸締り検出器と、上記戸締り検出器のそれぞれが動作したときに上記エレベーターの制御盤を付勢すると共に上記収納庫に設けられた照明灯を消勢する管理回路とを備えたエレベーター装置。
【請求項２】
乗場側の出し入れ口に設けられた戸を、上記乗場の出入口の縁部を形成した三方枠の側枠に構成したものとしたことを特徴とする請求項１記載のエレベーター装置。
【請求項３】
出し入れ口に設けられた戸を、収納庫内の少なくとも一部を透視できる透明板を装備したものとしたことを特徴とする請求項１及び請求項２のいずれか一つに記載のエレベーター装置。
【発明の詳細な説明】
【技術分野】
【０００１】
この発明は、昇降路内に設けられた巻上機の動作によって昇降路に配置されたかごを昇降運転するエレベーター装置に関する。
【背景技術】
【０００２】
従来の昇降路内の巻上機によってかごを昇降運転する所謂、機械室なし形式のエレベーター装置においては、機械室が設けられないためにエレベーターの各機器を保守点検に要する工具類、予備部品等を収納ケースを収納する。そして、収納ケースを常時は昇降路ピットに置き、保守作業時に運び出す構成にしている。（例えば、特許文献１参照）。
【０００３】
【特許文献１】特開２００２−１５４７５４号公報（要約）
【発明の開示】
【発明が解決しようとする課題】
【０００４】
従来のエレベーター装置では、昇降路ピット内の保守作業時に収納ケースが邪魔になり、また収納ケースの重量、大きさのために収納ケースを運び出すことは容易でなく多くの労力を要するという問題点があった。
【０００５】
この発明は、かかる問題点を解消するためになされたものであり、機械室なし形式のエレベーターであって、保守作業時に容易に保守工具類を取り出し、また容易に保守工具類を収納できる収納庫を備えたエレベーター装置を得ることを目的とする。
【課題を解決するための手段】
【０００６】
この発明に係るエレベーター装置においては、エレベーターの昇降路内に設けられた巻上機及び昇降路に配置されて巻上機の動作によって昇降するかごと、昇降路に設けられた乗場の出入口縁部に形成されて昇降路内側及び乗場側にそれぞれ出し入れ口が形成された収納庫と、出し入れ口のそれぞれに設けられた戸及びこれらの戸のそれぞれに設けられた施錠装置と、戸のそれぞれに設けられて対応した戸の施錠装置の施錠によって動作する戸締り検出器と、戸締り検出器のそれぞれが動作したときにエレベーターの制御盤を付勢すると共に収納庫に設けられた照明灯を消勢する管理回路とが設けられる。
【発明の効果】
【０００７】
この発明によるエレベーター装置は、乗場の出入口縁部における昇降路壁を貫通して収納庫が設けられるので、昇降路ピット内の保守作業時に邪魔になるピット内に収納ケースがなく容易に保守作業を行うことができる。また、昇降路ピット内の収納ケースを運び出す必要がなく保守作業を容易化する効果がある。また、収納庫に昇降路内側及び乗場側にそれぞれ出し入れ口が形成されて、昇降路側の戸及び乗場側の戸が設けられる。これによって、昇降路内の保守作業には昇降路側の戸を利用し、乗場側の保守作業には乗場側の戸を利用することによって保守作業能率を向上する効果がある。
【０００８】
また、昇降路側の戸及び乗場側の戸の少なくとも一方が閉じられず、また施錠装置の一方が解錠されたままであるときには、管理回路によって制御盤が消勢される。このため、昇降路側の戸及び乗場側の戸の少なくとも一方が施錠されない状態ではエレベーターの通常運転が阻止される。したがって、保守作業時に不意にエレベーターが通常運転されて発生する不詳事を未然に防止する効果がある。また、昇降路側の戸及び乗場側の戸の少なくとも一方の解錠時に管理回路によって照明灯が自動点灯するので保守作業時に便利であり、また昇降路側の戸及び乗場側の戸の施錠によって照明灯が自動消灯するので、消灯忘れを防ぐ効果がある。
【発明を実施するための最良の形態】
【０００９】
実施の形態１．
図１〜図４は、この発明の実施の形態を示す図で、図１はエレベーター乗場の正面図、図２は図１における収納庫の乗場側の戸を開いた状態を示す斜視図、図３は図１における収納庫の昇降路内側の戸を開いた状態を示す斜視図、図４は図１のエレベーターの要部電気回路図である。図において、エレベーターの昇降路１内に図示が省略してあるが巻上機が設けられ、また巻上機の動作によって昇降するかごが昇降路１に設けられる。
【００１０】
そして、昇降路１に出入口２を有する乗場３が設けられ、また出入口２を開閉する引き戸４が設けられる。さらに、昇降路１の壁からなる出入口縁部５に乗場操作盤６が設けられ、また出入口縁部５の昇降路１壁を貫通して収納庫７が設けられて昇降路１側及び乗場３側にそれぞれ出し入れ口が形成される。そして、開き戸からなり昇降路１側の出し入れ口を開閉する昇降路側の戸８及び乗場３側の出し入れ口を開閉する乗場側の戸９が設けられる。
【００１１】
また、昇降路側の戸８を施錠する昇降路側の施錠装置１０及び乗場側の戸９を施錠する乗場側の施錠装置１１が設けられる。そして、常開接点を有するスイッチからなり昇降路側の施錠装置１０の施錠によって動作する昇降路側の戸締り検出器１２及び常開接点を有するスイッチからなり乗場側の施錠装置１１の施錠によって動作する乗場側の戸締り検出器１３が設けられる。
【００１２】
そして、電源＋に戸締り検出器１２及び戸締り検出器１３が直列に接続され、戸締り検出器１３と電源−の間に戸締りリレー１４が接続される。また、電源＋に戸締りリレー１４の常開接点１４ａが接続され、常開接点１４ａと電源−の間にエレベーターの制御盤１５が接続される。そして、電源＋に戸締りリレー１４の常閉接点１４ｂが接続され、常閉接点１４ｂと電源−の間に収納庫７内に設けられた照明灯１６が接続される。
【００１３】
なお、電源＋、電源−の間に戸締り検出器１２、戸締り検出器１３、戸締りリレー１４、制御盤１５及び照明灯１６を要部とする管理回路１７が形成される。また、収納庫７にはエレベーターの各機器を保守点検に要する工具類、予備部品、清掃用の払拭・摺擦具等が収納される。
【００１４】
上記のように構成されたエレベーター装置において、エレベーターの通常運転時は出入口縁部５に昇降路１の壁を貫通して設けられた収納庫７の昇降路側の戸８及び乗場側の戸９が閉じられて、昇降路側の施錠装置１０及び乗場側の施錠装置１１が施錠される。これによって、昇降路側の戸締り検出器１２及び乗場側の戸締り検出器１３が、対応した戸８、戸９によって押圧されて閉成する。
【００１５】
これによって、＋−１２−１３−１４−−の回路によって戸締りリレー１４が付勢されて、常開接点１４ａは閉成し、また常閉接点１４ｂは開放する。そして、常開接点１４ａの閉成によって＋−１４ａ−１５−−の回路によって制御盤１５が付勢されて、制御盤１５の制御機能によってエレベーターが通常運転される。また、常閉接点１４ｂの開放によって照明灯１６が消灯される。
【００１６】
また、保守作業時にはエレベーターの通常運転が休止され、昇降路側の施錠装置１０及び乗場側の施錠装置１１の少なくとも一方が解錠されて対応した昇降路側の戸８、乗場側の戸９のいずれかが開放される。これにより、戸締りリレー１４が消勢されて、常開接点１４ａは開放し、また常閉接点１４ｂは閉成する。そして、常開接点１４ａの開放により制御盤１５が消勢され、また常閉接点１４ｂの閉成によって照明灯１６が点灯する。
【００１７】
以上説明した機械室なし形式のエレベーター装置において、出入口縁部５における昇降路１壁を貫通して収納庫７が設けられるので、昇降路１ピット内の保守作業時に邪魔になるピット内の前述の収納ケースがなく容易に保守作業を行うことができる。また、昇降路１ピット内の収納ケースを運び出す必要がなく容易に保守作業を行うことができる。また、収納庫７に昇降路１内側及び乗場３側にそれぞれ出し入れ口が形成されて、昇降路側の戸８及び乗場側の戸９が設けられる。
【００１８】
これによって、昇降路１内の保守作業には昇降路側の戸８を利用し、乗場３側の保守作業には乗場側の戸９を利用することによって保守作業能率を向上することができる。また、昇降路側の戸８及び乗場側の戸９の少なくとも一方が閉じられず、また施錠装置１０及び施錠装置１１の一方が解錠されたままであるときには、管理回路１７によって制御盤１５が消勢される。このため、昇降路側の戸８及び乗場側の戸９の少なくとも一方が施錠されない状態ではエレベーターの通常運転が阻止される。
【００１９】
したがって、保守作業時に不意にエレベーターが通常運転されて発生する不詳事を未然に防止することができる。また、昇降路側の戸８及び乗場側の戸９の少なくとも一方の解錠時に管理回路１７によって照明灯１６が自動点灯するので保守作業時に便利である。また、昇降路側の戸８及び乗場側の戸９の施錠によって照明灯１６が自動消灯するので、消灯忘れを防ぐことができる。
【００２０】
なお、昇降路側の戸８及び乗場側の戸９を透明材料で製作するか、または昇降路側の戸８及び乗場側の戸９に透明板を装着した窓を設ける。これによって、戸を閉じた状態で収納庫７内の物品を見分けることができて便利である。また、収納庫７内の物品を予見することができるので収納庫７内の物品を不用意に取り落とすことを予防し、また取り落として生じる事故を未然に防ぐことができる。
【００２１】
実施の形態２．
図５は、この発明の他の実施の形態を示す図で、前述の図２相当図である。なお、図５の他は前述の図１〜図４の実施の形態と同様にエレベーター装置が構成されている。図において、図１〜図４と同符号は相当部分を示し、乗場３の出入口２の縁部を形成する三方枠の側枠によって構成された乗場側の戸１８が設けられる。
【００２２】
上記のように構成されたエレベーター装置においても、図１〜図４の実施の形態と同様な出入口縁部５の昇降路１壁に収納庫７が設けられて昇降路側の戸８、乗場側の戸９に相当する乗場側の戸１８、施錠装置１０、施錠装置１１、照明灯１６、管理回路１７等が設けられる。したがって、詳細な説明を省略するが図５の実施の形態においても図１〜図４の実施の形態と同様な作用が得られる。
【００２３】
また、図５の実施の形態において、出入口２の縁部を形成する三方枠の側枠によって乗場側の戸１８が構成される。このため、乗場３の出入口２における造形表現が前述の乗場側の戸９のために拘束されることがなく、乗場３の出入口２廻りの意匠の自由度を向上することができる。
【図面の簡単な説明】
【００２４】
【図１】この発明の実施の形態１を示す図で、エレベーター乗場の正面図。
【図２】図１における収納庫の乗場側の戸を開いた状態を示す斜視図。
【図３】図１における収納庫の昇降路内側の戸を開いた状態を示す斜視図。
【図４】図１のエレベーターの要部電気回路図。
【図５】この発明の実施の形態２を示す図で、前述の図２相当図。
【符号の説明】
【００２５】
１  昇降路、２  出入口、３  乗場、７  収納庫、８  昇降路側の戸、９  乗場側の戸、１０  昇降路側の施錠装置、１１  乗場側の施錠装置、１２  昇降路側の戸締り検出器、１３  乗場側の戸締り検出器、１５  エレベーターの制御盤、１６  照明灯、１７  管理回路、１８  乗場側の戸。
【図１】
2005112581.tif 000003
【図２】
2005112581.tif 000004
【図３】
2005112581.tif 000005
【図４】
2005112581.tif 000006
【図５】
2005112581.tif 000007